(57)【要約】【課題】小型の記憶媒体であっても、それを指先きの押圧操作によるワンタッチで取り出し可能な保持手段を備えた小物品の収納ケースの提供を図る。【解決手段】ＵＳＢメモリの保護ケース２０は、複数の係止爪片１０のばね力により該係止爪片２０と板ばね片１１Ａとで弾性的に保持される。指先きで板ばね片１１Ａを押圧して下側に撓み変形させると、その先端が保護ケース２０の突縁部２２をくぐり抜けるから、押圧力を解除すれば板ばね片１１Ａの復元力で保護ケース２０の他端部が弾き上げられ、その取り出しを簡単に行うことができる。【選択図】図２
2011025967.tif 000002
【特許請求の範囲】
【請求項１】
ヒンジ部を介して一体に連設された一対のケース要素が、前記ヒンジ部で２つ折りされて相互に開閉可能とされた硬質合成樹脂製の収納ケースであって、
前記ケース要素の一方には、その天蓋部の内面に立設され、硬質性の小物品の一側面に弾接すると共にその上縁に係脱可能な複数のばね性を有する係止爪片と、
前記天蓋部の内面に配設され、前記係止爪片のばね力を前記小物品を介して受けて該小物品の他側面に係着してこれを弾性的に拘束し、指先きの押圧操作力により弾性変形してその復元力で  前記小物品の他側部を弾き上げて、該小物品の取り出しを可能とする小物品弾き出し手段と、を備えたことを特徴とする小物品の収納ケース。
【請求項２】
前記小物品弾き出し手段が、前記天蓋部の内面に立設されて、前記係止爪片のばね力を受けることにより先端が前記小物品の他側面に設けられた突縁部上に係止可能な板ばね片で構成され、
前記小物品がこれら係止爪片と板ばね片とで抱持固定された状態にて、前記板ばね片を指先きの押圧操作力で面方向に弾性変形させ、その先端が前記小物品の突縁部をくぐり抜けた時点で前記押圧操作力を解除することにより、該板ばね片の復元作用で前記小物品の他側部を弾き上げ可能とされていることを特徴とする請求項１に記載の小物品の収納ケース。
【請求項３】
前記係止爪片および小物品弾き出し手段が、前記天蓋部の内面に一体成形されていることを特徴とする請求項１または２に記載の小物品の収納ケース。
【請求項４】
前記係止爪片および小物品弾き出し手段が、前記天蓋部に挿脱可能に内接嵌装される硬質合成樹脂製の中敷き板に一体成形されていることを特徴とする請求項１または２に記載の小物品の収納ケース。
【請求項５】
前記小物品が記憶媒体を収納したケース体、もしくは薄板状の記憶媒体であることを特徴とする請求項１〜４の何れか１つに記載の小物品の収納ケース。
【発明の詳細な説明】
【技術分野】
【０００１】
本発明は、小型の記憶媒体等の収納用に使用して好適な小物品の収納ケースに関する。
【背景技術】
【０００２】
ＵＳＢメモリやＳＤカード等の小型の記憶媒体は、例えば特許文献１に示されているような薄型のＣＤ収納ケースに収納して、販売店における店頭陳列効果および携行利便性を良好にできることが望まれている。
【先行技術文献】
【特許文献】
【０００３】
【特許文献１】実用新案登録第３１１８８７５号
【発明の概要】
【発明が解決しようとする課題】
【０００４】
前記特許文献１に示されたＣＤ収納ケースは、２つ折り状に開閉可能な一対の薄型のケースで構成され、一方のケース内面に設けられた係着部にＣＤを弾性的に係脱可能に係着保持するように構成されている。
【０００５】
しかし、ＵＳＢメモリやＳＤカードは前記ＣＤに較べてサイズが小さく、前記ＣＤ収納ケースにおける係着部と同様な保持手段で弾性的に係着保持させようとした場合、取出しにくくなってしまう可能性がある。
【０００６】
そこで、本発明はＵＳＢメモリやＳＤカード等の小型の記憶媒体であっても、それを指先きの押圧操作によるワンタッチで取出し可能な保持手段を備えた小物品の収納ケースを提供するものである。
【課題を解決するための手段】
【０００７】
本発明の小物品の収納ケースは、ヒンジ部を介して一体に連設された一対のケース要素が、前記ヒンジ部で２つ折りにされて相互に開閉可能とされた硬質合成樹脂製の収納ケースであって、前記ケース要素の一方には、その天蓋部の内面に立設され、硬質性の小物品の一側面に弾接すると共にその上縁に係脱可能な複数のばね性を有する係止爪片と、前記天蓋部の内面に配設され、前記係止爪片のばね力を前記小物品を介して受けて該小物品の他側面に係着してこれを弾性的に拘束し、指先きの押圧操作力により弾性変形してその復元力で前記小物品の他側部を弾き上げて、該小物品の取り出しを可能とする小物品弾き出し手段と、を備えたことを主要な特徴としている。
【０００８】
前記小物品は、複数の係止爪片のばね力によってこれら係止爪片と小物品弾き出し手段とで弾性的に挟持されて、収納ケース内で遊動することなく確実に保持される。そして、前記小物品の取り出しに際しては、指先きで小物品弾き出し手段を押圧して弾性変形させることにより、その復元力で小物品の他側部が弾き上げられて簡単に取り出すことが可能となる。
【発明の効果】
【０００９】
本発明によれば、小物品をばね性を有する複数の係止爪片と、小物品弾き出し手段とにより弾性的に挟持して収納ケース内に確実に保持できると共に、その取り出しに際しては前記小物品弾き出し手段を指先きの押圧操作で弾性変形させる所謂ワンタッチ操作で小物品の他側部を弾き上げてこれを簡単に取り出すことができる。
【図面の簡単な説明】
【００１０】
【図１】本発明に係る収納ケースの第１実施形態の開状態を示す斜視図。
【図２】小物品を収納した状態を示す図１と同様の斜視図。
【図３】収納ケースの閉状態を示す断面図。
【図４】小物品弾き出し手段の動作を（ａ）〜（ｃ）に順を追って説明する断面図。
【図５】本発明に係る収納ケースの第２実施形態の開状態を示す分解斜視図。
【図６】小物品保持形態の変形例を示す斜視図。
【発明を実施するための形態】
【００１１】
以下、本発明の実施形態を図面と共に詳述する。
【００１２】
図１〜図４に示す第１実施形態の収納ケース１は、硬質性の小物品としてＵＳＢメモリのように小型短冊状に形成された小型記憶媒体の保護ケース２０の収納用として用いられる。
【００１３】
また、前記収納ケース１は、一般に流通しているＣＤ収納ケースとほぼ同サイズの薄型の方形に形成されていて、表面をジャケット等の宣伝用印刷物を配して透明な表装フィルムで被覆し、販売店における店頭陳列用として宣伝効果の高い化粧ケースとして用いられる。
【００１４】
この収納ケース１は、適宜の硬質合成樹脂からなる一対のケース要素２，３を備えている。
【００１５】
これらのケース要素２，３は、収納ケース１の一側壁を構成するヒンジ部４を介して一体に連設されている。具体的には、前記ケース要素２，３はそれらの天蓋部２ａ，３ａが、ヒンジ部４の一対（２条）の薄肉部４ａを境にして一体に連設されていて、該ヒンジ部４で２つ折りされて相互に開閉可能とされている。
【００１６】
本実施形態では、前記ケース要素２，３は幅，奥行き，高さが同サイズに形成され、前記ヒンジ部４で２つ折りに閉じた際に、これらケース要素２，３の前記ヒンジ部４を除く３側辺に形成した周壁２ｂ，３ｂが突き合わされて相互に閉蓋するように構成されている。
【００１７】
各ケース要素２，３の自由端側（ヒンジ部４と反対側）には、周壁２ｂ，３ｂに指掛け用の凹欠部２ｃ，３ｃが形成され、これら凹欠部２ｃ，３ｃに指を掛けて後述するロックを解除して開蓋を容易に行えるようにされている。
【００１８】
前記ケース要素２の自由端側の内面には、天蓋部２ａの内面に前記凹欠部２ｃを構成する周壁２ｂの両側延長上に一体成形したリブ壁２ｄにフック片５が一体成形されている。
【００１９】
前記ケース要素３の自由端側の内面には、天蓋部３ａの内面に前記凹欠部３ｃを構成する周壁３ｂの両側延長上に一体成形したリブ壁３ｄに、前記フック片５の先端部が係脱可能な係止孔６が形成されている。
【００２０】
これにより、ケース要素２，３をヒンジ部４で２つ折りに閉じた際に、前記フック片５と係止孔６とが該フック片５のばね作用で弾性的に係着し、ケース要素２，３のロックが行われるようになっている。
【００２１】
前記ケース要素２の自由端側の内面には、天蓋部２ａの内面で前記凹欠部２ｃの両側部に近接した位置に一対のクリップ片７が一体成形され、該クリップ片７により天蓋部２ａの内面に、収納される小型記憶媒体の記憶情報等に関する印刷物等を挟持保管可能とされている。
【００２２】
前記ケース要素３の天蓋部３ａの内面には、前記ヒンジ部４の近くに複数、例えば左右一対の係止爪片１０が一体に立設されている。
【００２３】
この係止爪片１０はその立設基部が弯曲して形成されて前後方向（ヒンジ部４側と凹欠部３ｃ側とに向く方向）に撓み変形が可能なばね性が付与されている。
【００２４】
前記係止爪片１０は、前記保護ケース２０の一側面に弾接し、かつ、上縁に形成したフック縁１０ａがこの保護ケース２０の上縁に係脱可能な高さに立設されている。
【００２５】
また、このケース要素３の天蓋部３ａの内面には、前記凹欠部３ｃの近くに前記係止爪片１０と対峙して、小物品弾き出し手段１１が配設されている。
【００２６】
この小物品弾き出し手段１１は、前記係止爪片１０のばね力を前記保護ケース２０を介して受けて該保護ケース２０の他側面に係着してこれを弾性的に拘束し、指先きの押圧操作力により弾性変形してその復元力で前記保護ケース２０の他側部を弾き上げて、該保護ケース２０の取り出しを可能とするものである。
【００２７】
本実施形態では、前記小物品弾き出し手段１１が、前記天蓋部３の内面に逆Ｌ字状に立設されて上下方向に撓み変形が可能なばね性が付与された板ばね片１１Ａで構成している。
【００２８】
この板ばね片１１Ａは、その先端が前記保護ケース２０の他側面の面内に突き当って、前記係止爪片１０のばね力を受け止め可能な高さに立設されている。
【００２９】
一方、前記保護ケース２０は、適宜の硬質合成樹脂材をもって開閉可能に、もしくは図外のＵＳＢメモリを挿脱可能に構成され、前記板ばね片１１Ａの先端が突き当る他側面には、該板ばね片１１Ａの先端部を受容する凹欠部２１が上下方向に形成されていると共に、該凹欠部２１の上下方向中間部位に、前記板ばね片１１Ａの先端下縁が係止可能な突縁部２２が左右方向に突設されている。
【００３０】
前記板ばね片１１Ａの先端および突縁部２２の上下縁は、上下方向に相互のくぐり抜けがスムーズに行えるようにそれぞれ斜状に形成されている。
【００３１】
なお、図中１２は、ケース要素３の天蓋部３ａの内面に立設されて、保護ケース２０の左右側面に当接する位置決め用のリブ壁である。
【００３２】
次に、以上の構成からなる第１実施形態の収納ケース１の使用例について詳述する。
【００３３】
前記保護ケース２０を収納ケース１内に収納する場合、先ず、ケース要素２，３の自由端の凹欠部２ｃ，３ｃに指を掛け、これらケース要素２，３の自由端に上下方向の開蓋力を付与する。これにより、前記フック片５が弾性変形して係止孔６から外れ、ケース要素２，３のロックが解除されて相互の開蓋が自由となる。
【００３４】
ケース要素２，３を開いた状態で、保護ケース２０を前記凹欠部２１を形成した側面を挿入方向後ろ向きにして前記係止爪片１０に向けて斜め上方から挿入し、その一側面（凹欠部２１を形成した側面と反対側の側面）の上縁を前記係止爪片１０のフック縁１０ａの下側に差し入れて、該一側面で係止爪片１０をヒンジ部４側に向けて撓み変形させる。
【００３５】
この係止爪片１０の撓み変形により、該係止爪片１０にばね力が蓄勢されると共に、保護ケース２０の他側面の突縁部２２が板ばね片１１Ａの先端と干渉することなく該保護ケース２０の他側部をケース要素３の天蓋部３ａの内面に当接させることができるので、該他側部を天蓋部３ａ内面に当接させた状態で前記係止爪片１０の押圧力を解除する。
【００３６】
これにより、前記係止爪片１０のばね力（復元力）で保護ケース２０が板ばね片１１Ａ側に押動されてその他側面が板ばね片１１Ａの先端に当接し、係止爪片１０のばね力を板ばね片１１Ａで受けて該板ばね片１１Ａの先端が保護ケース２０の他側面の突縁部２２上に係止し、これら係止爪片１０と板ばね片１１Ａとで保護ケース２０を前後方向で挟持した状態で、該保護ケース２０がケース要素３の内面に遊動することなくしっかりと弾性保持される（図２，図４（ａ）参照）。
【００３７】
そこで、前記ケース要素２，３を閉蓋してそれらの自由端相互をフック片５と係止孔６との弾性係着によりロックすれば、収納ケース１をＵＳＢメモリの保護ケース２０の店頭陳列用の化粧ケースとして利用して宣伝効果を高めることができると共に、前記保護ケース２０よりも大判で他のＣＤ収納ケースとほぼ同一外形に重ね合わせて携行することも可能となって携行利便性を高めることができる。
【００３８】
前記保護ケース２０を収納ケース１から取り出す場合は、前述の要領でケース要素２，３を開き、指先きで板ばね片１１Ａを上方から押圧する。
【００３９】
すると、この板ばね片１１Ａは自体の弾性で図４（ａ）に示す状態から図４（ｂ）に示す状態に下方に撓み変形して、先端が保護ケース２０の他側面の突縁部２２をくぐり抜けてその下縁に係止可能状態となると共に、該板ばね片１１Ａにばね力が蓄勢される。
【００４０】
そこで、前記指先きによる板ばね片１１Ａの押圧力を解除すると、該板ばね片１１Ａの復元力で前記突縁部２２の下縁に板ばね片１１Ａの先端が係止した状態で、図４（ｃ）に示すように保護ケース２０の他側部が弾き上げられ、該保護ケース２０を簡単に取り出すことが可能となる。
【００４１】
以上のようにこの第１実施形態の収納ケース１によれば、硬質性の小物品であるＵＳＢメモリ用の保護ケース２０をばね性を有する一対の係止爪片１０と、小物品弾き出し手段１１とにより弾性的に挟持して収納ケース１内に確実に保持できると共に、その取り出しに際しては前記小物品弾き出し手段１１を指先きの押圧操作で弾性変形させる所謂ワンタッチ操作で保護ケース２０の他側部を弾き上げて簡単に取り出すことができ、保護ケース２０の収納，取り出しの使用性を良好なものとすることができる。
【００４２】
また、本実施形態では前記係止爪片１０がケース要素３の天蓋部３ａの内面に一体に立設されていると共に、前記小物品弾き出し手段１１が前記天蓋部３ａの内面に逆Ｌ字状に一体に立設された板ばね片１１Ａとして構成されているので、これら係止爪片１０および小物品弾き出し手段１１が専用部品となることなくケース要素２，３と共に一体に型成形が可能で、コスト的に有利に得ることができる。
【００４３】
図５は本発明の第２実施形態を示すもので、本実施形態にあっては前記係止爪片１０および小物品弾き出し手段である板ばね片１１Ａを、前記ケース要素３の天蓋部３ａの内面に挿脱可能に内接嵌装される硬質合成樹脂製の薄板状の中敷き板１５に一体成形して、これら係止爪片１０および板ばね片１１Ａが収納ケース１と別体に形成されている。
【００４４】
前記中敷き板１５の左右側縁には、ケース要素３の左右側壁（周壁３ｂ）に内接するフランジ縁１５ａが上向きに一体に形成されており、これら周壁３ｂとフランジ縁１５ａの嵌合部分には相互に凹凸係合する弾性係止部１６が設けられ、中敷き板１５がみだりにケース要素３の天蓋部３ａから外れ出さないように構成されている。
【００４５】
この第２実施形態の構成によれば、前記第１実施形態と同様に保護ケース２０の収納，取り出しの使用性を良好にすることができる他に、係止爪片１０および板ばね片１１Ａが中敷き板１５に一体成形されていて、収納ケース１と別体の構成とされているので、サイズが大，小異なる保護ケース２０の収納用とする場合には、中敷き板１５として小サイズ保護ケース保持用と大サイズ保護ケース保持用とに取り揃えておけば、中敷き板１５を変えるだけで収納ケース１を共用の化粧ケースとすることができてコスト的に有利に得ることができる。
【００４６】
図６は本発明の変形例を示すもので、硬質性の小物品として、例えばＳＤカードのように硬質性の薄型板状の記憶媒体（以下、薄板状の記憶媒体と称する）３０を直接係止爪片１０と板ばね片１１Ａとで弾性的に挟持して離脱可能に保持するように構成したものである。
【００４７】
薄板状の記憶媒体３０は、前記ケース要素３の天蓋部３ａの内面に一体成形されたスペーサリブ１３上に載置され、係止爪片１０に弾性係止される一側部と反対側の他側部と前記天蓋部３ａとの間に、板ばね片１１Ａによる弾き上げ用の間隙が確保されるようになっている。
【００４８】
この薄板状の記憶媒体３０の他側面には、前記板ばね片１１Ａの先端が係脱可能な突縁部３１が一体成形されている。
【００４９】
前記係止爪片１０と板ばね片１１Ａの機能は前記第１，第２実施形態と全く同様である。
【００５０】
本発明によれば、この変形例に示すように小物品が取扱いにくいＳＤカードのような小型薄板状の記憶媒体３０であっても、これを直接収納ケース１に遊動することなく弾性的に保持できると共に、その取り出しに際しては板ばね片１１Ａを押圧操作するだけでワンタッチで収納ケース１から取り出しすることができて、使用性を良好なものとすることができる。
【００５１】
なお、本発明は前記記憶媒体の保護ケース２０や薄板状記憶媒体３０の収納用に限定されるものではなく、硬質性の小物品の収納用に使用して利便性を高めることができる。
【符号の説明】
【００５２】
１…収納ケース
２，３…ケース要素
２ａ，３ａ…天蓋部
１０…係止爪片
１１…小物品弾き出し手段
１１Ａ…板ばね片
１５…中敷き板
２０…記憶媒体保護ケース（小物品）
２２…突縁部
３０…薄板状記憶媒体（小物品）
３１…突縁部
【図１】
2011025967.tif 000003
【図２】
2011025967.tif 000004
【図３】
2011025967.tif 000005
【図４】
2011025967.tif 000006
【図５】
2011025967.tif 000007
【図６】
2011025967.tif 000008
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
ヒンジ部を介して一体に連設された一対のケース要素が、前記ヒンジ部で２つ折りされて相互に開閉可能とされた硬質合成樹脂製の収納ケースであって、
前記ケース要素の一方には、その天蓋部の内面に立設され、硬質性の小物品の一側面に弾接すると共にその上縁に係脱可能な複数のばね性を有する係止爪片と、
前記天蓋部の内面に配設され、前記係止爪片のばね力を前記小物品を介して受けて該小物品の他側面に係着してこれを弾性的に拘束し、指先きの押圧操作力により弾性変形してその復元力で前記小物品の他側部を弾き上げて、該小物品の取り出しを可能とする小物品弾き出し手段と、を備え、
前記小物品弾き出し手段が、前記天蓋部の内面に逆Ｌ字状に立設されて、前記係止爪片のばね力を受けることにより先端が前記小物品の他側面に設けられた突縁部上に係止可能な板ばね片で構成され、
前記小物品がこれら係止爪片と板ばね片とで抱持固定された状態にて、前記板ばね片を指先きの押圧操作力で面方向に弾性変形させ、その先端が前記小物品の突縁部をくぐり抜けた時点で前記押圧操作力を解除することにより、該板ばね片の復元作用で前記小物品の他側部を弾き上げ可能とされていることを特徴とする小物品の収納ケース。
【請求項２】
前記係止爪片および小物品弾き出し手段が、前記天蓋部の内面に一体成形されていることを特徴とする請求項１に記載の小物品の収納ケース。
【請求項３】
ヒンジ部を介して一体に連設された一対のケース要素が、前記ヒンジ部で２つ折りされて相互に開閉可能とされた硬質合成樹脂製の収納ケースであって、
前記ケース要素の一方には、その天蓋部に硬質合成樹脂製の中敷き板が挿脱可能に内接嵌装され、
前記中敷板には、その内面に立設され、硬質性の小物品の一側面に弾接すると共にその上縁に係脱可能な複数のばね性を有する係止爪片と、
前記中敷板の内面に配設され、前記係止爪片のばね力を前記小物品を介して受けて該小物品の他側面に係着してこれを弾性的に拘束し、指先きの押圧操作力により弾性変形してその復元力で前記小物品の他側部を弾き上げて、該小物品の取り出しを可能とする小物品弾き出し手段と、が一体成形され、
前記小物品弾き出し手段が、前記中敷板の内面に逆Ｌ字状に立設されて、前記係止爪片のばね力を受けることにより先端が前記小物品の他側面に設けられた突縁部上に係止可能な板ばね片で構成され、
前記小物品がこれら係止爪片と板ばね片とで抱持固定された状態にて、前記板ばね片を指先きの押圧操作力で面方向に弾性変形させ、その先端が前記小物品の突縁部をくぐり抜けた時点で前記押圧操作力を解除することにより、該板ばね片の復元作用で前記小物品の他側部を弾き上げ可能とされていることを特徴とする小物品の収納ケース。
【請求項４】
前記小物品が記憶媒体を収納したケース体、もしくは薄板状の記憶媒体であることを特徴とする請求項１〜３の何れか１つに記載の小物品の収納ケース。
【手続補正２】
【補正対象書類名】明細書
【補正対象項目名】０００７
【補正方法】変更
【補正の内容】
【０００７】
本発明の小物品の収納ケースは、ヒンジ部を介して一体に連設された一対のケース要素が、前記ヒンジ部で２つ折りにされて相互に開閉可能とされた硬質合成樹脂製の収納ケースであって、前記ケース要素の一方には、その天蓋部の内面に立設され、硬質性の小物品の一側面に弾接すると共にその上縁に係脱可能な複数のばね性を有する係止爪片と、前記天蓋部の内面に配設され、前記係止爪片のばね力を前記小物品を介して受けて該小物品の他側面に係着してこれを弾性的に拘束し、指先きの押圧操作力により弾性変形してその復元力で前記小物品の他側部を弾き上げて、該小物品の取り出しを可能とする小物品弾き出し手段と、を備え、前記小物品弾き出し手段が、前記天蓋部の内面に逆Ｌ字状に立設されて、前記係止爪片のばね力を受けることにより先端が前記小物品の他側面に設けられた突縁部上に係止可能な板ばね片で構成され、前記小物品がこれら係止爪片と板ばね片とで抱持固定された状態にて、前記板ばね片を指先きの押圧操作力で面方向に弾性変形させ、その先端が前記小物品の突縁部をくぐり抜けた時点で前記押圧操作力を解除することにより、該板ばね片の復元作用で前記小物品の他側部を弾き上げ可能とされていることを主要な特徴としている。